(57)【要約】      （修正有）【課題】ロール紙を、片手でも切り取れるようにするペーパーホルダーを提供する。【解決手段】上下に摺動する支柱２を設けた蓋１に、ロール紙切り取り刃６とロール紙押止部５にローラー５ａと切断用支持具７を持つ切断板を３の上蓋支持具に枢着し、切断機４ａとして取り付ける。切り取り刃６にロール紙を当てると支柱２がペーパーホルダー８の支柱用溝９の中で傾き、摩擦で蓋が固定され、同時に切断板の切断板用支持軸７ａが支点となり、ロール紙押止部５がロール紙を押止してロール紙を切り取ることが出来る。切断機４ａは着脱出来るので既存のペーパーホルダーにも蓋の開口を制限する壁面用ストッパーと蓋用ストッパーを蓋と壁面に取り付けて、切断機４ａを蓋に取り付ければ既存のペーパーホルダーも片手でロール紙を切ることができる。【選択図】図２
0003149487.tif 000002
【実用新案登録請求の範囲】
【請求項１】
垂直方向に上下摺動する左右の支柱を設けた上蓋に、ローラーを設けたロール紙押止部とロール紙切り取り刃を持つ着脱自在な切断機を設け、ペーパーホルダー本体に設けた左右の溝に上蓋の支柱を装着したところを特徴とするロール紙切断機。
【請求項２】
切断機を蓋の開きを抑制するストッパーと併設することで他のペーパーホルダーに取り付け可能としたところを特徴とするロール紙切断機。
【請求項３】
ロール紙切り取り刃を突出させ、脹らませたところを特徴とするロール紙切断機。
【考案の詳細な説明】
【技術分野】
【０００１】  本考案は、垂直に上下摺動するペーパーホルダーの蓋にロール紙押止部にローラーを付けた着脱可能な切断機を設ける事で、本考案のペーパーホルダー及び、既存の多くのペーパーホルダーにも本考案のロール紙切断機が設置可能となり、ロール紙を片手で切り取ることに関するものである。
【背景技術】
【０００２】  トイレ等で使用されているペーパーホルダーのロール紙を切り取る場合、片手で切り取る事は難しく両手を使用する必要があり、ワンハンドと呼ばれている片手で切れる一部の機種でもロール紙設置時の工程が増え、ロール紙を蓋の重さや、バネ等で押してあるのでロール紙の巻量や、材質によってはロール紙を押止する力が弱く切り取り難く、又ロール紙の切り口が蓋より出て非衛生な機種もあった。本考案のように摺動する機種、特開平０８−０１０１８５、特開２０００−２８７８７５、特開２００２−２２３９８２などあるが、ロール紙押止と切り取り刃が一体となった蓋が摺動するものであり、切断機も本考案のようにスイングするタイプもあるが、ロール紙押さえ部分にはローラーも無く切断機は着脱できず既存のペーパーホルダーを含め他の機種には取り付け出来なかった。
【考案の開示】
【考案が解決しようとする課題】
【０００３】  ペーパーホルダーのロール紙を切るとき多くの機種では片手では切り取り難く、両手を使用する必要があり、小さな子供や高齢者、体の不自由な人には大変不便であった。又ワンハンドと呼ばれている機種でもロール紙の質やロール紙の巻量が少なくなると確実にロール紙を押止出来ず、切り取り出来ない物もあった。本考案の切断機はロール紙を確実に押止するので片手でもロール紙を切ることが出来、又切断機は着脱可能なので既存の多くのペーパーホルダーにも設置可能となり前述の欠点を解決し片手でロール紙を切り取るようにするものである。
【課題を解決するための手段】
【０００４】  本考案は上蓋左右の支柱摺動用の溝と左右に芯無しロール紙にも対応する軸受けの溝穴を持ち、バネ等を使用せず自重で水平を保持するロール紙保持具を設けたペーパーホルダー本体と、垂直に上下摺動する左右の支柱を設けた上蓋と、ローラーを設けたロール紙押止部と、ロール紙切り取り刃と、切断板用支持部を設けた切断板に上蓋用支持具を枢着した切断機から成り、上蓋に上蓋用支持具取り付け切断機を吊着する。ロール紙を上方向に切り取るように切断機のロール紙切り取り刃に当てると、蓋の支柱が支柱摺動用の溝の中で傾き摩擦で蓋が固定され、上蓋用支持具の支持軸が支点となりシーソーの原理でロール紙押止部も連動して下がり、ロール紙を押止しロール紙を切り取ることが出来る。上蓋はロール紙の減少に応じて外径が小さくなっても、支柱がペーパーホルダー本体の溝に沿って摺動して垂直に下がる為、切断機のロール紙押止部が、押止部とロール紙の外周壁側面中心部、ロール紙支持軸中心部を結ぶ一直線上に向かって一定に押止し、片手でロール紙を切り取ること出来る。片手で切り取れない既存のペーパーホルダーの蓋と壁に蓋の開きを制限するストッパーを取り付け本考案の切断機を設置すれば、多くの既存のペーパーホルダーも片手でロール紙を切り取ることが可能となり問題を解決している。
【考案の効果】
【０００５】  上述のように、本考案のペーパーホルダーのロール紙切断機は、ロール紙の巻量が減少すると、蓋も自重で摺動して下がり、切断板の押止部がロール紙外周部中心を常に押止しロール紙を切り取ることが出来る。ロール紙の押止部はローラーが付いているので蓋が重くてもロール紙は楽に取り出し出来る。又蓋がスイングする既存のペーパーホルダーの蓋にも蓋の開口を制限し保持するストッパーを設け本考案の切断機を設置すれば片手でロール紙を切り取ることができる。
【考案を実施するための最良の形態】
【０００６】  上蓋用切断板支持具と切断板用支持部を枢着し、ペーパーホルダーの裏蓋に切断機を貼着して吊着する。ペーパーホルダー本体の左右の溝に上蓋の支柱を挿入する、ペーパーホルダーのロール紙軸受けにロール紙を装着しロール紙を必要量だけ取り出し、切断機のロール紙切り取り刃に当て、上方向に切り取る時、蓋の支柱が傾斜し摩擦によって蓋が固定されると同時に、切断板支持具の支持軸を支点にしてシーソーのように切断板のロール紙押止部が切り取り刃と反対に下がり、ロール紙を切り取るまで押止しロール紙を片手で切り取ることが出来る。ロール紙の巻量が減少しても上蓋は上蓋自体の重さで支柱がペーパーホルダーの溝に沿って下がり、切断機の押止部は常にロール紙の周壁中心部に当るよう作用するので、ロール紙を最後迄使用することができる。蓋がスイングする片手で切り取れない既存のペーパーホルダーの蓋にも蓋の開口を制限するストッパーを設けて、切断機を上蓋用支持具で既存のペーパーホルダーの蓋に取付ければ既存のペーパーホルダーのロール紙も片手で切り取ることができる。
【実施例１】
【０００７】  以下添付図面に従って実施例を説明する。１と８は耐久性のある金属又は合成樹脂など適宜素材にて成作された上下に摺動する為の２の支柱を設けた上蓋とペーパーホルダー本体である。３は耐久性のある金属又は合成樹脂等適宜素材にて作られた上蓋用支持具である。４は金属、合成樹脂等適宜素材にて作られた６ａのスペーサーを持つ切断板で、ロール紙１６を取り出し易くするため、５ａのローラーを持つ５のロール紙押止部と６のロール紙切り取り刃と切断板支持具７及び７ａの切断板用支持軸から構成され、７ａの支持軸を３ａの上蓋用支持具軸承孔に枢着して切断機になる。上蓋１に３の上蓋用支持具を２１両面テープ、マジックテープ又は接着剤等適宜素材にて取付ける、上蓋１の支柱２を８のペーパーホルダー本体９の支柱用溝にそれぞれ挿入する。１６のロール紙を１０のロール紙軸受けに下方から入れてロール紙を保持する。【０００８】  １６のロール紙を必要量とりだし、４ａの切断機の６のロール紙切り取り刃に当てて上方向に切り取るとき蓋１の支柱２が傾き支柱用溝９と摩擦により蓋１が固定されると同時に、シーソーのように、１の上蓋に設けた７の切断板用支持具の支持軸７ａが支点となり５のロール紙押止部が下がり、１６のロール紙を押止し、ロール紙を切り取ることが出来る。１６のロール紙が減少すると１の上蓋も自重で下がるので５の押止部も連動して下がり、１６のロール紙の外周壁中心部を常に押止し、１６のロール紙を最後の方まで切り取り使用することが出来る。
【実施例２】
【０００９】  １７壁用ストッパーと１８蓋用ストッパーは耐久性のある金属又は合成樹脂等適宜素材で作られていて、既存のペーパーホルダー１９の裏蓋に２１両面テープ、マジックテープ又は接着剤等適宜素材で４ａ切断機の上蓋用支持具３を適宜位置に設置し、１８の蓋用ストッパーを既存のペーパーホルダー１９の蓋上に、１７の壁面用ストッパーを２１の両面テープ、マジックテープ、接着剤等適宜素材を用いて壁面等に取り付け、既存のペーパーホルダー１９の蓋の開口を衝止すれば既存のペーパーホルダーも片手でロール紙を切り取れるようになる。
【実施例３】
【００１０】  ロール紙切り取り刃６を図１２の１４ように突出させ膨らませるとロール紙の切り取り痕も突出した形状になりロール紙を引き出しやすくなる。【００１１】  本考案の実施例は上述の如き構成となっているので、身体の不自由な人、高齢者、小さな子供でも、ロール紙を切り取る時、切断機の押止部にローラーがあるので蓋の重さでロール紙が押されても片手でペーパーホルダーのロール紙を切り取る事が出来る。１０のロール紙保持具は通常自重でバネなど使用しなくても水平になっているが、立てると既存の芯無しロールペーパーの保持軸１３が使用できるよう軸受け溝１１を設けてあるので、芯無しロールペーパーも使用できる。
【図面の簡単な説明】
【００１２】
【図１】本考案ペーパーホルダーの各部分分解斜視図である。
【図２】本考案ペーパーホルダーの一部斜視透視図である。
【図３】既存のペーパーホルダーに切断機とストッパーを設けた一部斜視透視図である。
【図４】本考案ペーパーホルダーの一部透視正面図である。
【図５】正面図４のＡ−Ａ断面図である。
【図６】蓋と切り取り板を除いてロール紙軸受けを立てた平面図である。
【図７】平面図６のＢ−Ｂ断面図である。
【図８】平面図６のＣ−Ｃ断面図である。
【図９】蓋と切り取り板を除いてロール紙軸受けを水平にした平面図である。
【図１０】平面図９のＤ−Ｄ断面図である。
【図１１】平面図９のＥ−Ｅ断面図である。
【図１２】切り取り刃を突出させ膨らませた斜視図である。
【図１３】既存の芯無しロールペーパー用保持軸である。
【符号の説明】
【００１３】１    上蓋
２    支柱
３    上蓋用支持具
３ａ  上蓋用支持具軸承孔
４    切断板
４ａ  切断機  （３上蓋用支持具を４切断板に枢着した物）
５    ロール紙押止部
５ａ  ローラー
６ａ  スペーサー
６    ロール紙切り取り刃
７    切断用支持具
７ａ  切断板用支持軸
８    ペーパーホルダー本体
９    支柱用溝
１０  ロール紙軸受
１１  芯無しロールペーパー用保持軸受け溝
１２  ペーパーホルダー取り付け孔
１３  芯無しロールペーパー用保持字句
１４  刃の形上を変えた切断板
１５  ロール紙軸受けの軸
１６  ロールペーパー
１７  壁面取り付け用ストッパー
１８  既存のペーパーホルダー蓋用ストッパー
１９  既存のペーパーホルダーの蓋
２０  既存のペーパーホルダー
２１  両面テープ、マジックテープ又は接着剤等の適宜素材
【図１】
0003149487.tif 000003
【図２】
0003149487.tif 000004
【図３】
0003149487.tif 000005
【図４】
0003149487.tif 000006
【図５】
0003149487.tif 000007
【図６】
0003149487.tif 000008
【図７】
0003149487.tif 000009
【図８】
0003149487.tif 000010
【図９】
0003149487.tif 000011
【図１０】
0003149487.tif 000012
【図１１】
0003149487.tif 000013
【図１２】
0003149487.tif 000014
【図１３】
0003149487.tif 000015
【手続補正書】
【提出日】平成20年11月11日(2008.11.11)
【手続補正１】
【補正対象書類名】実用新案登録請求の範囲
【補正対象項目名】請求項２
【補正方法】変更
【補正の内容】
【請求項２】
切断機を蓋の開きを抑制するストッパーと併設することで他のペーパーホルダーに取付け可能としたところを特徴とする請求項１記載のロール紙切断機。
【手続補正２】
【補正対象書類名】実用新案登録請求の範囲
【補正対象項目名】請求項３
【補正方法】変更
【補正の内容】
【請求項３】
ロール紙切り取り刃を突出させ、膨らませた所を特徴とする請求項１記載のロール紙切断機。
【手続補正３】
【補正対象書類名】明細書
【補正対象項目名】０００７
【補正方法】変更
【補正の内容】
【０００７】  以下添付図面に従って実施例を説明する。１と８は耐久性のある金属又は合成樹脂など適宜素材にて製作された上下に摺動する為の２の支柱を設けた上蓋とペーパーホルダー本体である。３は耐久性のある金属又は合成樹脂等適宜素材にて作られた上蓋用支持具である。４は金属、合成樹脂等適宜素材にて作られた６ａのスペーサーを持つ切断板で、ロール紙１６を取り出し易くするため、５ａのローラーを持つ５のロール紙押止部と６のロールし切り取り刃と切断板支持具７及び７ａの切断板用支持軸から構成され、７ａの支持軸を３ａの上蓋用支持具軸承孔に枢着して切断機になる。上蓋１に３の上蓋用支持具を２１両面テープ、マジックテープ（商標登録）又は接着剤等適宜素材にて取付ける、上蓋１の支柱２を８のペーパーホルダー本体９の支柱用溝にそれぞれ挿入する。１６のロール紙を１０のロール紙軸受けに下方から入れてロール紙を保持する。
【手続補正４】
【補正対象書類名】明細書
【補正対象項目名】０００９
【補正方法】変更
【補正の内容】
【０００９】  １７壁用ストッパーと１８蓋用ストッパーは耐久性のある金属又は合成樹脂等適宜素材で作られていて、既存のペーパーホルダー１９の裏蓋に２１両面テープ、マジックテープ（商標登録）又は接着剤等適宜素材で４ａ切断機の上蓋用支持具３を適宜位置に設置し、１８の蓋用ストッパーを既存のペーパーホルダー１９の蓋上に、１７の壁面用ストッパーを２１の両面テープ、マジックテープ（商標登録）、接着剤等適宜素材を用いて壁面等に取り付け、既存のペーパーホルダー１９の蓋の開口を衝止すれば既存のペーパーホルダーも片手でロール紙を切り取れるようになる。
【手続補正５】
【補正対象書類名】明細書
【補正対象項目名】００１３
【補正方法】変更
【補正の内容】
【００１３】  １    上蓋
２    支柱
３    上蓋用支持具
３ａ  上蓋用支持具軸承孔
４    切断板
４ａ  切断機（３上蓋用支持具を４切断板に枢着した物）
５    ロール紙押止部
５ａ  ローラー
６ａ  スペーサー
６    ロール紙切り取り刃
７    切断用支持具
７ａ  切断板用支持軸
８    ペーパーホルダー本体
９    支柱用溝
１０  ロール紙軸受
１１  芯無しロールペーパー用保持軸受け溝
１２  ペーパーホルダー取り付け孔
１３  芯無しロールペーパー用保持軸
１４  刃の形状を変えた切断板
１５  ロール紙軸受けの軸
１６  ロールペーパー
１７  壁面取付け用ストッパー
１８  既存のペーパーホルダー蓋用ストッパー
１９  既存のペーパーホルダーの蓋
２０  既存のペーパーホルダー
２１  両面テープ、マジックテープ（商標登録）又は接着剤等の適宜素材